(57)【要約】【課題】ユーザーの利便性を保ちつつ、従来よりも高い誤送信防止機能を有する通信装置を提供する。【解決手段】複数の文字からなる宛先を表示することが可能な表示部と、ユーザーの操作を受け付ける操作部と、ユーザーにより前記操作部を介して送信指示された情報を宛先へ送信することが可能な通信部と、前記表示部、前記操作部および前記通信部を制御する制御部とを備え、前記制御部は、前記操作部を介してユーザーに指示された宛先を前記表示部に表示させ、前記操作部は、表示された宛先のユーザーによる確認操作を１文字ずつ受け付け、前記制御部は、前記操作部が前記宛先のすべての文字についてユーザーによる確認操作を受け付けるまで、前記宛先への送信処理を実行させず、一方、前記操作部が前記宛先のすべての文字についてユーザーによる確認操作を受け付けた場合、前記宛先への送信処理を実行させることを特徴とする。【選択図】図５
2020191554.tif 000002
【特許請求の範囲】
【請求項１】
複数の文字からなる宛先を表示することが可能な表示部と、
ユーザーの操作を受け付ける操作部と、
ユーザーにより前記操作部を介して送信指示された情報を宛先へ送信することが可能な通信部と、
前記表示部、前記操作部および前記通信部を制御する制御部とを備え、
前記制御部は、前記操作部を介してユーザーに指示された宛先を前記表示部に表示させ、
前記操作部は、表示された宛先のユーザーによる確認操作を１文字ずつ受け付け、
前記制御部は、前記操作部が前記宛先のすべての文字についてユーザーによる確認操作を受け付けるまで、前記宛先への送信処理を実行させず、一方、前記操作部が前記宛先のすべての文字についてユーザーによる確認操作を受け付けた場合、前記宛先への送信処理を実行させることを特徴とする通信装置。
【請求項２】
前記宛先を保存する記憶部をさらに備え、
前記宛先への送信処理は、前記記憶部への前記宛先の保存を含む請求項１に記載の通信装置。
【請求項３】
前記操作部は、前記表示部への指のタッチ操作に基づいて、前記ユーザーの操作を受け付ける請求項１または２に記載の通信装置。
【請求項４】
前記制御部は、前記宛先を１文字ずつ指でなぞる確認操作を前記操作部が受け付けたとき、前記表示部に確認操作を受け付けた文字の表示状態を変化させる請求項３に記載の通信装置。
【請求項５】
前記操作部は、前記宛先の確認用キーを備え、
前記制御部は、前記確認用キーが１回押されるたびに、前記操作部が前記宛先のユーザーによる確認操作を１文字ずつ受け付けたものとし、前記確認用キーが前記宛先の文字数と同じ数だけ押された場合、前記送信処理を受け付ける請求項１〜４のいずれか１つに記載の通信装置。
【請求項６】
前記操作部は、前記宛先のユーザーによる確認操作中に前記宛先の修正を受け付ける請求項１〜５のいずれか１つに記載の通信装置。
【請求項７】
前記操作部は、前記宛先のユーザーによる確認操作中に前記表示部に表示すべき前記宛先の文字の大きさの変更を受け付ける請求項１〜６のいずれか１つに記載の通信装置。
【請求項８】
前記操作部は、前記宛先のユーザーによる確認操作中に前記表示部に表示すべき前記宛先の文字の間隔の変更を受け付ける請求項１〜７のいずれか１つに記載の通信装置。
【請求項９】
前記宛先は、ファックス番号、e-mailアドレスおよびサーバーアドレスのうち少なくとも１つである請求項１〜８のいずれか１つに記載の通信装置。
【請求項１０】
複数の文字からなる宛先を表示する表示ステップと、
表示された宛先のユーザーによる確認操作を１文字ずつ受け付ける確認操作ステップと、
ユーザーにより送信指示された情報を宛先へ送信する送信ステップとを有し、
前記確認操作ステップにおいて、前記宛先のすべての文字についてユーザーによる確認操作を受け付けるまで、前記送信ステップにおける前記宛先への送信処理を実行させず、一方、前記確認操作ステップにおいて、前記宛先のすべての文字についてユーザーによる確認操作を受け付けた場合、前記送信ステップにおける前記宛先への送信処理を実行させることを特徴とする通信装置の制御方法。
【発明の詳細な説明】
【技術分野】
【０００１】
この発明は、通信装置および通信装置の制御方法に関し、より詳細には、誤送信防止機能を備えた通信装置および前記通信装置の制御方法に関する。
【背景技術】
【０００２】
ファクシミリ装置や電子メール機器などの情報通信装置において、個人情報等の機密情報を扱う場合の誤送信の防止は重要な課題である。
このような誤送信防止を目的として、以下の技術が開示されている。
【０００３】
特許文献１には、タッチパネルにおいて送信先を表す表示情報が表示された部分をタッチしたときにのみ送信許可の状態に移行する誤送信防止モードを有するファクシミリ装置の発明が開示されている（例えば、特許文献１を参照）。
【０００４】
特許文献２には、確認期間経過後に、宛先を記憶し、かつ確認画面を終了させることで、確認画面が表示されたままの状態を防止することによって、誤送信を防止できる通信装置の発明が開示されている（例えば、特許文献２を参照）。
【０００５】
特許文献３には、宛先に誤りがないか否かを判別するための予め定められた操作をユーザーに行わせ、予め定められた操作により入力された入力結果を通信装置に送信し、通信装置から宛先に誤りがないことが通知された場合に、通信装置にデータとともに、データの送信要求を送信するため、誤送信を防止することができる端末装置の発明が開示されている（例えば、特許文献３を参照）。
【先行技術文献】
【特許文献】
【０００６】
【特許文献１】特開２０００−１１５４３４号公報
【特許文献２】特開２０１０−８７６８５号公報
【特許文献３】特開２０１５−１５４４４８号公報
【発明の概要】
【発明が解決しようとする課題】
【０００７】
しかしながら、従来の誤送信防止技術は、単純なキーの押下やパネルへの単純なタッチを行わせることを想定したものが多く、宛先の見間違いを防止する手段としては十分とはいえない。
【０００８】
また、送信前に宛先に誤りがないか否かを判別するための予め定められた操作をユーザーに行わせる技術の場合、ユーザーの負担が大きく、利便性が高いものとはいえない。
【０００９】
この発明は、以上のような事情を考慮してなされたものであって、その目的は、ユーザーの利便性を保ちつつ、従来よりも高い誤送信防止機能を有する通信装置および通信装置の制御方法を提供するものである。
【課題を解決するための手段】
【００１０】
（１）この発明は、複数の文字からなる宛先を表示することが可能な表示部と、ユーザーの操作を受け付ける操作部と、ユーザーにより前記操作部を介して送信指示された情報を宛先へ送信することが可能な通信部と、前記表示部、前記操作部および前記通信部を制御する制御部とを備え、前記制御部は、前記操作部を介してユーザーに指示された宛先を前記表示部に表示させ、前記操作部は、表示された宛先のユーザーによる確認操作を１文字ずつ受け付け、前記制御部は、前記操作部が前記宛先のすべての文字についてユーザーによる確認操作を受け付けるまで、前記宛先への送信処理を実行させず、一方、前記操作部が前記宛先のすべての文字についてユーザーによる確認操作を受け付けた場合、前記宛先への送信処理を実行させることを特徴とする通信装置を提供する。
また、この発明は、複数の文字からなる宛先を表示する表示ステップと、表示された宛先のユーザーによる確認操作を１文字ずつ受け付ける確認操作ステップと、ユーザーにより送信指示された情報を宛先へ送信する送信ステップとを有し、前記確認操作ステップにおいて、前記宛先のすべての文字についてユーザーによる確認操作を受け付けるまで、前記送信ステップにおける前記宛先への送信処理を実行させず、一方、前記確認操作ステップにおいて、前記宛先のすべての文字についてユーザーによる確認操作を受け付けた場合、前記送信ステップにおける前記宛先への送信処理を実行させることを特徴とする通信装置の制御方法を提供する。
【００１１】
この発明において、「通信装置」は、ネットワークを介して文字データまたは画像データを所定の宛先に送信する機能を有する装置である。
例えば、ファクシミリ装置や、電子メール送信機能またはデータ送信機能を有するパーソナルコンピュータ（ＰＣ）などがあげられる。
「複数の文字」は、例えば、ファックス番号やe-mailアドレス、サーバーアドレスなど、文字・数字・記号等から構成された複数の文字があげられる。
「前記宛先への送信処理」は、宛先への情報の送信に限られず、宛先の保存などの処理も含まれる。
【００１２】
この発明の「表示部」は、表示パネル８０によって実現される。また、この発明の「通信部」は、回線制御部６０およびモデム６２の協働によって実現される。
【発明の効果】
【００１３】
この発明によれば、前記操作部が前記宛先のすべての文字についてユーザーによる確認操作を受け付けるまで、前記宛先への送信処理を実行させず、一方、前記操作部が前記宛先のすべての文字についてユーザーによる確認操作を受け付けた場合、前記宛先への送信処理を実行させるため、ユーザーの利便性を保ちつつ、従来よりも高い誤送信防止機能を有する通信装置および通信装置の制御方法を実現できる。
【００１４】
さらに、この発明の好ましい態様について説明する。
【００１５】
（２）前記宛先を保存する記憶部をさらに備え、前記宛先への送信処理は、前記記憶部への前記宛先の保存を含むものであってもよい。
【００１６】
このようにすれば、ユーザーは、宛先の保存前に表示された確認用の宛先を一字ずつ確認する操作を行うことになるため、間違った宛先の保存防止に役立つ通信装置を実現できる。
【００１７】
（３）前記操作部は、前記表示部への指のタッチ操作に基づいて、前記ユーザーの操作を受け付けるものであってもよい。
【００１８】
このようにすれば、ユーザーは、タッチ操作を通じて、宛先に係る処理の実行前に表示部に表示された確認用の宛先を一字ずつ指さし確認のように確認する操作を行うことになるため、確実に一字ずつ宛先の内容を確認することができ、従来よりも宛先確認の確実性が向上して誤送信の防止に役立つ通信装置を実現できる。
【００１９】
（４）前記制御部は、前記宛先を１文字ずつ指でなぞる確認操作を前記操作部が受け付けたとき、前記表示部に確認操作を受け付けた文字の表示状態を変化させるものであってもよい。
【００２０】
このようにすれば、ユーザーは、宛先に係る処理の実行前に表示部に表示された確認用の宛先を指さし確認のように一字ずつなぞる操作を行ったとき、確認された字の表示状態が変化するため、従来よりも素早く確実に一字ずつ内容を確認することができ、誤送信の防止に役立つ通信装置を実現できる。
【００２１】
（５）前記操作部は、前記宛先の確認用キーを備え、前記制御部は、前記確認用キーが１回押されるたびに、前記操作部が前記宛先のユーザーによる確認操作を１文字ずつ受け付けたものとし、前記確認用キーが前記宛先の文字数と同じ数だけ押された場合、前記送信処理を受け付けるものであってもよい。
【００２２】
このようにすれば、ユーザーは、宛先に係る処理の実行前に表示部に表示された確認用の宛先をキー操作で一字ずつ確認する操作を行うことになるため、従来よりも素早く確実に一字ずつ内容を確認することができ、誤送信の防止に役立つ通信装置を実現できる。
【００２３】
（６）前記操作部は、前記宛先のユーザーによる確認操作中に前記宛先の修正を受け付けるものであってもよい。
【００２４】
このようにすれば、ユーザーは、宛先に係る処理の実行前に表示部に表示された確認用の宛先を一字ずつ確認する操作を行う際に、宛先の訂正を行うこともできるため、宛先の確認中に間違った情報を手軽に修正でき、誤送信の防止に役立つ通信装置を実現できる。
【００２５】
（７）前記操作部は、前記宛先のユーザーによる確認操作中に前記表示部に表示すべき前記宛先の文字の大きさの変更を受け付けるものであってもよい。
【００２６】
このようにすれば、ユーザーは、宛先に係る処理の実行前に表示部に表示された確認用の宛先を一字ずつ確認する操作を行う際に、宛先の文字の拡大縮小を行うこともできるため、例えば、名刺に記載された宛先と見比べながらチェックでき、誤送信の防止に役立つ通信装置を実現できる。
【００２７】
（８）前記操作部は、前記宛先のユーザーによる確認操作中に前記表示部に表示すべき前記宛先の文字の間隔の変更を受け付けるものであってもよい。
【００２８】
このようにすれば、ユーザーは、宛先に係る処理の実行前に表示部に表示された確認用の宛先を一字ずつ確認する操作を行う際に、宛先の文字の間隔の拡大縮小を行うこともできるため、例えば、名刺に記載された宛先と見比べながらチェックでき、誤送信の防止に役立つ通信装置を実現できる。
【００２９】
（９）前記宛先は、ファックス番号、e-mailアドレスおよびサーバーアドレスのうち少なくとも１つであってもよい。
【００３０】
このようにすれば、ユーザーは、ファックスやe-mail、サーバーへのデータ送信に係る処理の実行前に表示部に表示された確認用の宛先を一字ずつ確認する操作を行うことになるため、確実に一字ずつ宛先の内容を確認することができ、従来よりも宛先確認の確実性が向上して誤送信の防止に役立つ通信装置を実現できる。
【図面の簡単な説明】
【００３１】
【図１】この発明の第１実施形態に係るファクシミリ装置から構成された通信システムの構成図である。
【図２】図１のファクシミリ装置の概略構成を示すブロック図である。
【図３】図１の送信側ファクシミリ装置と受信側ファクシミリ装置との間におけるファクシミリ通信手順を示すシーケンス図である。
【図４】図１の送信側ファクシミリ装置の処理を示すフローチャートである。
【図５】図１のファクシミリ装置の宛先確認操作時（タッチパネル操作）の動作画面例である。
【図６】この発明の第２実施形態に係る送信側ファクシミリ装置の処理を示すフローチャートである。
【図７】この発明の第２実施形態に係るファクシミリ装置の宛先確認操作時（訂正）の動作画面例である。
【図８】この発明の第２実施形態に係るファクシミリ装置の宛先確認操作時（拡大縮小）の動作画面例である。
【図９】この発明の第３実施形態に係るファクシミリ装置の宛先確認操作時（キー操作）の動作画面例である。
【発明を実施するための形態】
【００３２】
以下、図面を用いてこの発明をさらに詳述する。
なお、以下の説明は、すべての点で例示であって、この発明を限定するものと解されるべきではない。
【００３３】
〔第１実施形態〕
図１および図２に基づき、この発明の通信装置の一実施形態であるファクシミリ装置１０ａ〜１０ｃから構成された通信システム１について説明する。
【００３４】
図１は、この発明の第１実施形態に係るファクシミリ装置１０ａ〜１０ｃから構成された通信システム１の構成図である。
【００３５】
なお、この発明は、ファクシミリ装置１０ａ〜１０ｃから構成された通信システム１に限定されるものではなく、例えば、電子メール送信機能やデータ送信機能等の通信機能を備えたすべてのシステムに適用可能である。
【００３６】
通信システム１は、ファクシミリ装置１０ａ，１０ｂ，１０ｃから構成される。
ファクシミリ装置１０ａは、データ送信側（発呼側）のファクシミリ装置である。
ファクシミリ装置１０ｂは、データ受信側（被呼側）のファクシミリ装置である。
ファクシミリ装置１０ｃは、今回の送受信に関係ないファクシミリ装置である。
ファクシミリ装置１０ａ，１０ｂ，１０ｃは、公衆回線網３０（一般公衆電話回線）に接続されており、ファクシミリ画像データの送受信が可能となっている。
【００３７】
図２は、第１実施形態に係るファクシミリ装置１０ａ〜１０ｃの構成を示すブロック図である。
なお、ファクシミリ装置１０ａ，１０ｂ，１０ｃは共通の構成を有するため、以下では、ファクシミリ装置１０として説明する。
【００３８】
図２を参照して、ファクシミリ装置１０の機能構成について説明する。
ファクシミリ装置１０は、制御部５０、ＨＤＤ（Ｈａｒｄ  Ｄｉｓｋ  Ｄｒｉｖｅ）５２、操作部５４、スキャナ部５５、画像処理部５６、プリンタ部を構成する画像メモリ５７および画像形成部５８、回線制御部６０、モデム６２、ＣＩ（Ｃａｌｌｉｎｇ  Ｉｎｄｉｃａｔｏｒ）検出部６４、ＬＡＮ（Ｌｏｃａｌ  Ａｒｅａ  Ｎｅｔｗｏｒｋ）インターフェース（ＬＡＮ  Ｉ／Ｆ）６６、並びに、電源制御部６７を含む。
【００３９】
以下、ファクシミリ装置１０の各構成要素を説明する。
【００４０】
制御部５０は、実質的にコンピュータであって、ＣＰＵ７０、ＲＯＭ７２、および、ＲＡＭ７４を含む。
【００４１】
ＣＰＵ７０には、ＢＵＳライン７６が接続されており、このＢＵＳライン７６には、ＲＯＭ７２、および、ＲＡＭ７４が電気的に接続される。
ＣＰＵ７０は、操作部５４等からの指示に応じて各種コンピュータプログラムを実行することによって、ファクシミリ装置１０の各部の動作等の所望の処理を実行する。
【００４２】
上記の各種コンピュータプログラムは、予めＲＯＭ７２またはＨＤＤ５２に記憶されており、所望の処理の実行時において、当該ＲＯＭ７２またはＨＤＤ５２から読出されてＲＡＭ７４に転送される。
【００４３】
ＣＰＵ７０は、ＣＰＵ７０内の図示しないプログラムカウンタと呼ばれるレジスタに格納された値によって指定される、ＲＡＭ７４内のアドレスからプログラムの命令を読出し、解釈する。
【００４４】
ＣＰＵ７０はまた、読出された命令によって指定されるアドレスから演算に必要なデータを読出し、そのデータに対し命令に対応する演算を実行する。
実行の結果も、ＲＡＭ７４、ＨＤＤ５２およびＣＰＵ７０内のレジスタ等の、命令によって指定されるアドレスに格納される。
【００４５】
ＢＵＳライン７６には、さらに、ＨＤＤ５２、操作部５４、スキャナ部５５、画像処理部５６、画像メモリ５７、画像形成部５８、回線制御部６０、モデム６２、ＣＩ検出部６４、ＬＡＮ  Ｉ／Ｆ６６、および、電源制御部６７が電気的に接続される。
【００４６】
ＨＤＤ５２は、磁気記憶媒体を備え、画像データ、並びに、通信相手先のファックス番号およびメールアドレス等の、ファクシミリ装置１０の設置先にて登録される登録データを記憶する。
これらの登録データは、ファクシミリ装置１０の管理者または管理者とは異なるユーザーによって、ファクシミリ装置１０が有する複数の機能を実行するために、操作部５４に対する入力操作等によって登録される。
【００４７】
操作部５４は、各種操作キーを備える操作パネル７８を含む。
上記各種操作キーは、ハードキーであってもソフトキーであっても、また、ハードキーおよびソフトキーの混在であってもよく、通信相手先のファックス番号およびコピー枚数等の設定値等を入力するためのテンキー、電源オンおよび電源オフを指示するための電源キー、各種ジョブの開始を指示するためのスタートキー、並びに、システム設定キー等を含む。
管理者は、システム設定キーを押下することで、通信相手先のファックス番号およびメールアドレス等の宛先登録、内蔵時計の時刻設定等の初期設定、並びに、ファクシミリ装置１０の初期化等の機能を利用することができる。
【００４８】
操作部５４はさらに、液晶ディスプレイ（ＬＣＤ：Liquid Crystal Display）とタッチパネルとを重ねて構成される表示パネル８０を含む。
表示パネル８０は、ユーザーに対して対話的な操作インターフェースを提供する。
操作部５４は、操作パネル７８の各種操作キーまたは表示パネル８０のタッチパネルからファクシミリ装置１０全体の動作に対するユーザーの指示を受付けて、その指示の内容を表示パネル８０のＬＣＤに表示するとともに、その指示に応じた制御信号を制御部５０または画像処理部５６のＭＰＵ（Micro Processing Unit、図示せず。）等に対して出力する。
【００４９】
スキャナ部５５は、光源を含む原稿走査ユニット、反射ミラー、光学レンズおよびＣＣＤ（Charge-Coupled Device）ラインセンサ（以上いずれも図示せず。）を含む。
原稿走査ユニットは、ユーザーによって手動で、または、自動原稿搬送装置（図示せず。）によって、原稿載置台（図示せず。）上に載置された原稿の画像表面に対し光源から光を照射することによって反射光像を得る。
反射ミラーおよび光学レンズは、得られる反射光像をＣＣＤラインセンサ上に結像させる。ＣＣＤラインセンサは、結像された反射光像を順次光電変換して画像データとして画像処理部５６に対して出力する。
【００５０】
画像処理部５６は、ＭＰＵ（図示せず。）を含む。
画像処理部５６は、スキャナ部５５から受信する画像データに対して、例えば、ラスタライズ処理等の所定の画像処理を含む各種処理を施して所定の階調の印刷データを作成し、画像メモリ５７に対して出力する。
【００５１】
画像メモリ５７は、ＲＡＭを含み、印刷データをページ単位で一時的に記憶する。
画像メモリ５７は、制御部５０等からの指示に応じて、画像形成部５８に送信するための、画像処理部５６から入力される印刷データ、または、外部装置から送信される印刷データをページ単位で一時的に記憶し、記憶した印刷データを画像形成部５８による画像形成に同期して、画像形成部５８に対して出力する。
【００５２】
画像形成部５８は、感光体ドラム、帯電器、ＬＳＵ（Laser Scanning Unit）、現像装置、転写装置、クリーニング装置および定着装置（以上いずれも図示せず。）、並びに、ファクシミリ装置１０に着脱自在に装着されるトナーカートリッジを含む。
画像形成部５８は、さらに、ファクシミリ装置１０に着脱自在に装着される、手差し給紙トレイ、第１給紙トレイおよび第２給紙トレイ（以上いずれも図示せず。）を含む。
【００５３】
これらの給紙トレイは、この順で上下に並ぶように設置され、記録用紙を保持し、用紙搬送部（図示せず。）に記録用紙を送給する。
手差し給紙トレイは、ユーザーが手動により所望の記録用紙を設置するためのトレイであり、第１給紙トレイおよび第２給紙トレイは、異なる大きさの記録用紙を保持するためのトレイである。
【００５４】
画像形成部５８は、制御部５０等からの指示に応じて、上記給紙トレイのいずれかから用紙搬送部を介して搬送される記録用紙上に、画像メモリ５７から送信される印刷データに基づく画像を印刷する。
【００５５】
回線制御部６０は、アナログ回線である公衆回線網３０とインターフェースをとるハードウェア回路である。
公衆回線網３０には、ファクシミリ装置１０とのファクシミリ通信が可能な外部のファクシミリ装置等の複数の外部装置が接続されている。
【００５６】
回線制御部６０は、制御部５０からの指示に応じて、公衆回線網３０の閉結および開放を制御する回線制御を行なうとともに、必要に応じてモデム６２と公衆回線網３０とを接続する。
回線制御部６０はさらに、公衆回線網３０に接続される通信相手先の外部装置を呼出すために、通信相手先のファックス番号に応じたダイヤル信号を通信相手に対して送出する。
【００５７】
モデム６２は、ファクシミリ通信が可能なファクシミリモデムを含み、回線制御部６０を介して公衆回線網３０と接続される。
モデム６２は、通信相手に対して送信するためのデジタルデータをアナログデータに変換して回線制御部６０を介して公衆回線網３０に送出する。
モデム６２はさらに、通信相手から回線制御部６０を介して受信したアナログデータをデジタルデータに変換して復調する。
復調された画像データは、符号化／復号部（図示せず。）によって復号された後、画像メモリ５７に対して出力される。
【００５８】
ＣＩ検出部６４は、公衆回線網３０に接続される外部装置からの呼出信号（ＣＩ信号）を検出し、その検出結果を制御部５０に通知する。
制御部５０は、ＣＩ信号を所定時間検出したと判断すると、モデム６２を通じて公衆回線網３０を捕捉するために、回線制御部６０に対し、公衆回線網３０を閉結するように指示する。
公衆回線網３０が捕捉されると、モデム６２によってファクシミリ通信が行なわれる。
【００５９】
ＬＡＮ  Ｉ／Ｆ６６は、ネットワーク２０とのインターフェースをとる。
ファクシミリ装置１０は、このＬＡＮ  Ｉ／Ｆ６６を介して、ネットワーク２０上の各種外部装置と、所定の通信プロトコルに従ったデータ通信を行なうことができる。
【００６０】
電源制御部６７は、外部電源６８と電気的に接続される。
電源制御部６７は、ファクシミリ装置１０の各部の動作に必要な電力を外部電源６８から取得し、取得した電力をファクシミリ装置１０の各部に供給する。
【００６１】
ファクシミリ装置１０は、上述した各部を動作させることによって、操作部５４からのユーザーの入力操作による指示または外部装置からの指示に応じて、原稿画像を読取り記録用紙に印刷するコピーモード、外部装置から送信される印刷データを受信して記録用紙に印刷するプリンタモード、および、原稿画像を読取り外部装置に送信するスキャナモード等の各種のモードのいずれかを実行する。
【００６２】
次に、図１のファクシミリ装置１０ａ、１０ｂ間での通信手順について説明する。
図３は、送信側ファクシミリ装置１０ａと受信側ファクリミリ装置１０ｂとの間におけるファクシミリ通信手順を示すシーケンス図である。
送信側ファクシミリ装置と受信側ファクシミリ装置は、ＩＴＵ−Ｔ勧告Ｖ．２１に規定される手順にて通信（Ｇ３通信）を行うものとするが、これに限定されるわけではない。
【００６３】
送信側ファクシミリ装置１０ａから受信側ファクシミリ装置１０ｂに対してデータを送信する場合、最初に送信側ファクシミリ装置１０ａから受信側ファクシミリ装置１０ｂ対し、ダイヤリングが行われて通信接続し、コーリングトーン（ＣＮＧ：Calling Tone）が送信される。
【００６４】
受信側ファクシミリ装置１０ｂがＩＴＵ−Ｔ勧告のＶ．２１の手順に従う装置であれば、受信側ファクシミリ装置１０ｂは、送信側ファクシミリ装置１０ａからのコーリングトーンを検出すると、まず被呼局識別信号（ＣＥＤ：Called Station Identification signal）を送出し、続いて、自装置の製造メーカ情報を含む非標準機能信号（ＮＳＦ：Non-Standard Facilities signal）と、自装置の電話番号を含む被呼装置識別信号（ＣＳＩ：Called Subscriber Identification signal）と、伝送速度や最大受信幅などの自装置の性能情報を含むデジタル識別信号（ＤＩＳ：Digital Transmit Command signal）とを送出することによって、自装置の機能を送信側ファクシミリ装置１０ａへ知らせる。
【００６５】
すると、これらの信号に応答して、送信側ファクシミリ装置１０ａが、自装置の電話番号を含む送信装置識別信号（ＴＳＩ：Transmitting Subscriber Identification signal）と、伝送速度や最大受信幅などの自装置の性能情報を含むデジタル命令信号（ＤＣＳ：Digital Command Signal）とを送出することによって、自装置の機能を受信側ファクシミリ装置１０ｂへ知らせる。
自装置の製造メーカ情報を含む非標準手順信号（ＮＳＳ：Non-Standard facilities Set-up）も受信側ファクシミリ装置１０ｂへ知らせる場合がある。
【００６６】
続いて、送信側ファクシミリ装置１０ａから送信されたトレーニングチェック信号（ＴＣＦ：Training Check signal）を受信側ファクシミリ装置１０ｂが受信すると、受信準備確認信号（ＣＦＲ：Confirmation to Receive signal）が受信側ファクシミリ装置１０ｂから送信側ファクシミリ装置１０ａに返信される。
【００６７】
送信側ファクシミリ装置１０ａは、受信側ファクシミリ装置１０ｂからＣＦＲ信号を受信後、受信側ファクシミリ装置１０ｂに対して、画像のデータ（ＰＩＸ）を１ページ分ずつ送信する。
全ての符号化データの送信が終了すると、受信側ファクシミリ装置１０ｂに手順終了信号（ＰＰＳ−ＥＯＰ）を送信する。
全ページ分の画像のデータを受信したことを受信側ファクシミリ装置１０ｂが確認すれば、メッセージ確認信号（ＭＣＦ：Message Confirmation Signal）が受信側ファクシミリ装置１０ｂから送信側ファクシミリ装置１０ａに返信される。
最後に、切断命令信号ＤＣＮ（Disconnect signal）が送信側ファクシミリ装置１０ａから送信されて受信側ファクシミリ装置１０ｂで受信されると、ファクシミリ通信が終了する。
【００６８】
この様な各信号およびデータを送受するための制御は、送信側ファクシミリ装置１０ａおよび受信側ファクシミリ装置１０ｂのいずれにおいてもＣＰＵ７０によって行われる。
【００６９】
上記通信手順は、ＩＴＵ−Ｔ勧告Ｖ．２１に規定される手順であったが、ＩＴＵ−Ｔ勧告Ｖ．８に規定される手順でも通信（スーパーＧ３通信）してもよい。
たとえば、送信側ファクシミリ装置１０ａと受信側ファクシミリ装置１０ｂが、スーパーＧ３対応とする。
その場合は、送信側ファクシミリ装置１０ａからＣＮＧ信号が受信側ファクシミリ装置１０ｂに送信されると、受信側ファクシミリ装置１０ｂはＡＮＳａｍ信号を送信し、送信側ファクシミリ装置１０ａがＡＮＳａｍ信号を受信することで、Ｖ．８手順が開始される。
従って、電力供給情報はそれ以降に送信される。
【００７０】
また、送信側ファクシミリ装置１０ａおよび受信側ファクシミリ装置１０ｂの一方がＧ３対応で、他方がスーパーＧ３の対応の場合もあり、そのときはＶ．２１対応であることを示す信号を相手に送り、Ｇ３通信が行われる。
この場合には、停電信号は、Ｖ．２１対応であることを示す信号が送信され、Ｇ３通信が開始されてから送信される。
【００７１】
続いて、この発明の第１実施形態に係る送信側ファクシミリ装置１０ａの宛先確認処理の流れを図４のフローチャートを用いて説明する。
図４は、図１の送信側ファクシミリ装置１０ａの処理を示すフローチャートである。
【００７２】
なお、操作パネル７８上の短縮宛先キーには、送信したい宛先の名前とファックス番号が登録済みであるものとする。
【００７３】
まず、ステップＳ１１において、ユーザーは、送信側ファクシミリ装置１０ａのスキャナ部５５上の原稿台に、相手先に送信したい原稿をセットする（ステップＳ１１）。
【００７４】
次に、ステップＳ１２において、ユーザーは、操作パネル７８上の短縮キーを用いて、送信したい宛先を選択する（ステップＳ１２）。
【００７５】
続いて、ステップＳ１３において、宛先確認機能が有効に設定されているかが判定される（ステップＳ１３）。
【００７６】
宛先確認機能が無効に設定されている場合（ステップＳ１３の判定がＮｏの場合）、ステップＳ２７において、制御部５０は、ユーザーが選択した宛先、送信を実行するための[送信]キー、送信をキャンセルするための[キャンセル]キーを表示パネル８０のＬＣＤ上に表示させる（ステップＳ２７）。
【００７７】
続いて、ステップＳ２８において、制御部５０は、操作パネル７８のタッチパネル操作の待ち状態とし（ステップＳ２８）、タッチパネル上の[送信]キー（ステップＳ２９）もしくは[キャンセル]キー（ステップＳ３０）に対するタッチを受け付けさせる。
【００７８】
ステップＳ２９において、[送信]キーがタッチされた場合（ステップＳ２９の判定がＹｅｓの場合）、ステップＳ２４において、制御部５０は、スキャナ部５５による原稿読み取りを実行する（ステップＳ２４）。
【００７９】
その後、ステップＳ２５において、制御部５０は、通信処理を行う（ステップＳ２５）。
具体的には、公衆回線網３０に接続し、公衆回線網３０を経由して受信側ファクシミリ装置１０ｂに対して通信を開始し、原稿画像の送信処理が完了すると、回線を切断する。
【００８０】
続いて、ステップＳ２６において、制御部５０は、通信が完了したことを表示パネル８０のＬＣＤ上に表示させた後、初期画面を表示させる（ステップＳ２６）。
その後、制御部５０は、一連の処理を終了する。
【００８１】
一方、ステップＳ２８の後、[送信]キーではなく [キャンセル]キーがタッチされた場合（ステップＳ２９の判定がＮｏ、かつ、ステップＳ３０の判定がＹｅｓの場合）、ステップＳ２６において、制御部５０は、送信処理を取りやめたことを表示パネル８０のＬＣＤ上に表示させた後で初期画面を表示させる（ステップＳ２６）。
その後、制御部５０は、一連の処理を終了する。
【００８２】
他方、ステップＳ１３において、宛先確認機能が有効に設定されている場合（ステップＳ１３の判定がＹｅｓの場合）、ステップＳ１４において、制御部５０は、選択した宛先、送信を実行するための[送信]キー（ただし無効状態）、送信をキャンセルするための[キャンセル]キーを表示パネル８０のＬＣＤ上に表示させる（ステップＳ１４）。
【００８３】
図５は、図１のファクシミリ装置１０の宛先確認操作時（タッチパネル操作）の動作画面例である。
【００８４】
制御部５０は、図５（１）の画面に示されるように、宛先のファックス番号をすべて反転表示させて、一字ずつ確認操作が必要なことをユーザーに示す。
【００８５】
その後、図４のステップＳ１５において、制御部１０は、表示パネル８０上のタッチパネル操作の待ち状態にする（ステップＳ１５）。
【００８６】
続いて、制御部５０は、[送信]キー（ステップＳ１６）、[キャンセル]キー（ステップＳ１７）および画面をなぞるタッチ操作（ステップＳ１８）のいずれの操作を操作パネル７８が受け付けたか否かを判定する。
【００８７】
ただし、制御部５０は、後述するステップＳ２１において、宛先のファックス番号の反転表示がすべて通常表示になっていなければ、[送信]キーを有効にしないものとする。
【００８８】
ステップＳ１６において、[送信]キーが有効になっていない場合（ステップＳ１６の判定がＮｏの場合）、ステップＳ１７において、制御部５０は、タッチパネル操作で[キャンセル]キーが押されたか否かを判定する（ステップＳ１７）。
【００８９】
ステップＳ１７において、タッチパネル操作で[キャンセル]キーが押された場合（ステップＳ１７の判定がＹｅｓの場合）、ステップＳ２６において、制御部５０は、送信処理を取りやめたことを表示パネル８０のＬＣＤ上に表示させた後、初期画面を表示させる（ステップＳ２６）。
その後、制御部５０は、一連の処理を終了する。
【００９０】
一方、ステップＳ１８において、宛先をなぞるタッチ操作が行われた場合（ステップＳ１８の判定がＹｅｓの場合）、ステップＳ１９において、制御部５０は、表示パネル８０になぞり終わった文字を１文字ずつ反転表示解除した通常表示にさせる（ステップＳ１９）。
【００９１】
ここで、宛先のファックス番号は、文字数によっては、２行表示やスクロール表示としてもよいが、ステップＳ２０において、すべての宛先ファックス番号が反転解除されるまで、制御部５０は、タッチパネル操作待ちを続ける（ステップＳ２０の判定がＮｏの場合、ステップＳ１５に処理を戻す）。
【００９２】
すべての宛先ファックス番号が反転解除された場合（ステップＳ２０の判定がＹｅｓの場合）、ステップＳ２１において、制御部５０は、[送信]キー表示の反転表示を解除して有効とする（ステップＳ２１）。
【００９３】
図５（２）〜（４）に、ユーザーが宛先ファックス番号を指でなぞるにつれて、宛先ファックス番号のなぞられた部分が反転表示される様子を示す。
すべての宛先ファックス番号が反転表示された場合、図５（５）に示すように、[送信]キー表示の反転表示が解除されるため、ユーザーは、[送信]キーを押すことが可能になる。
【００９４】
図５において、ファックス番号の無効表示と有効表示の切り替えは、反転表示と通常表示で表したが、アンダーラインの有無や、色の変化、表示フォントの変化、という手段で表すようにしてもよい。
【００９５】
ユーザーが指でなぞる場所は、宛先ファックス番号が表示された場所に限らず、宛先ファックス番号の上下左右など任意の領域であってもよい。
【００９６】
ユーザーが指でなぞった位置に対応した宛先ファックス番号の反転表示が解除され、ユーザーが一度確認した番号は、再度タッチしても、反転表示の解除結果が変わらないようにする。
【００９７】
ステップＳ２１を経て送信キーが有効となった後、制御部５０は、 [送信]キー（ステップＳ２２）、または、[キャンセル]キー（ステップＳ２３）のタッチパネル操作待ち状態とする。
【００９８】
ステップＳ２２において、[送信]キーがタッチされた場合（ステップＳ２２の判定がＹｅｓの場合）、ステップＳ２４において、制御部５０は、スキャナ部５５に原稿読み取りを実行させる（ステップＳ２４）。
【００９９】
その後、制御部５０は、ステップＳ２５の通信処理を行う（ステップＳ２５）。
【０１００】
一方、[送信]キーではなく[キャンセル]キーがタッチされた場合（ステップＳ２２の判定がＮｏ、かつ、ステップＳ２３の判定がＹｅｓの場合）、ステップＳ２６の画面初期化処理を行う（ステップＳ２６）。
【０１０１】
このように、ユーザーは、一字ずつ確認する操作を行うことになるため、確実に一字ずつ宛先の内容を確認することができ、従来よりも宛先確認の確実性が向上して誤送信の防止に役立つファクシミリ装置１０を実現できる。
【０１０２】
また、指さし確認のように一字ずつ宛先をなぞらせることで、送信先の確認を行うことができるため、ユーザーの利便性を保ちつつ、宛先を確認することが可能になる。
【０１０３】
〔第２実施形態〕
次に、図６〜図８に基づき、この発明の第２実施形態に係る通信システム１における宛先確認処理の流れを説明する。
図６は、この発明の第２実施形態に係る送信側ファクシミリ装置１０ａの処理を示すフローチャートである。
【０１０４】
第２実施形態において、名刺に記載されている名前とファックス番号を宛先として、原稿を送信し、送信に使用した宛先を短縮番号として登録したい場面を想定する。
なお、送信側ファクシミリ装置１０ａの構成は、第１実施形態と同一であるため、省略する。
【０１０５】
図６のステップＳ５１において、ユーザーは、スキャナ部５５上の原稿台に相手先の名刺を置く（ステップＳ５１）。
【０１０６】
次に、ステップＳ５２において、ユーザーは、表示パネル８０のタッチパネルを操作して、送信相手先情報読み込みを選択する（ステップＳ５２）。
【０１０７】
次に、ステップＳ５３において、制御部５０は、スキャナ部５５に原稿台の名刺を読み取らせ、読み取った名刺をＯＣＲ（Optical Character Recognition／光学的文字認識）処理させる（ステップＳ５３）。
【０１０８】
続くステップＳ５４において、制御部５０は、スキャナ部５５がＯＣＲ処理で読み取った相手先名とファックス番号をデジタルデータとして、ＲＡＭ７４上に一時保存する（ステップＳ５４）。
【０１０９】
次に、ステップＳ５５において、制御部５０は、表示パネル８０のＬＣＤ上に、読み取った相手先に送信すべき原稿のセット要求を表示させる（ステップＳ５５）。
【０１１０】
次に、ユーザーが原稿台から名刺を取り除いて、送信したい原稿を原稿台に置いたとき、ステップＳ５６において、制御部５０は、名刺よりも大きいサイズの原稿が原稿台に載せられたか否かを判定する（ステップＳ５６）。
【０１１１】
原稿台に名刺よりも大きいサイズの原稿が載せられた場合（ステップＳ５６の判定がＹｅｓの場合）、制御部５０は、ステップＳ５７において、読み取ったファックス番号をＲＡＭ７４から呼び出して、送信先として表示パネル８０に表示する（ステップＳ５７）。
【０１１２】
また、表示パネル８０には、同時に、[送信]キー、[訂正]キー、[キャンセル]キー、[拡大縮小]キーも表示させるが、[送信]キーについては、まだ無効表示であることを示すため反転表示させる。
【０１１３】
ここで、制御部５０は、宛先のファックス番号をすべて反転表示させ、一字ずつ確認操作が必要なことをユーザーに示し、表示パネル８０上のタッチパネル操作の待ち状態にする（ステップＳ５８）。
【０１１４】
その後、制御部５０は、[送信]キー（ステップＳ８３）、[キャンセル]キー（ステップＳ６０）、[訂正]キー（ステップＳ６１）、 [拡大縮小]キー（ステップＳ６２）、宛先をなぞるタッチ操作（ステップＳ６３）のいずれの操作を操作パネル７８が受け付けたか否かを判定する。
【０１１５】
ただし、[送信]キーについては、後述するステップＳ６６において、宛先のファックス番号の反転表示がすべて通常表示になっていなければ、[送信]キーを有効にしないものとする。
【０１１６】
ステップＳ５９において、[送信]キーが有効になっていない場合（ステップＳ５９の判定がＮｏの場合）、ステップＳ６０において、制御部５０は、タッチパネル操作で[キャンセル]キーが押されたか否かを判定する（ステップＳ６０）。
【０１１７】
ステップＳ６０において、タッチパネル操作で[キャンセル]キーが押された場合（ステップＳ６０の判定がＹｅｓの場合）、ステップＳ８２において、制御部５０は、送信処理を取りやめたことを表示パネル８０のＬＣＤ上に表示させた後、初期画面を表示させる（ステップＳ８２）。
その後、制御部５０は、一連の処理を終了する。
【０１１８】
ステップＳ６１において、タッチパネル操作で[訂正]キーが押された場合（ステップＳ６１の判定がＹｅｓの場合）、ステップＳ７９において、制御部５０は、訂正文字入力用の数字キーを表示パネル８０に表示させる（ステップＳ７９）。
【０１１９】
図７は、この発明の第２実施形態に係るファクシミリ装置１０の宛先確認操作時（訂正）の動作画面例である。
図７の例において、宛先のファックス番号「０１２  ３４５  ６７８９」のうち、「４」が間違いで、正しい数字「９」に訂正する場合を想定する。
【０１２０】
図７（１）に示すように、ユーザーは、宛先のファックス番号を「３」の位置までなぞって反転表示した後、次の番号「４」の修正が必要であることに気づいたものとする。
【０１２１】
ここで、[訂正]キーが押された場合、図７（２）に示すような訂正画面に移行する。
図７（２）の例では、ファックス番号を想定して、０から９までの数字キーが表示されているが、ｉＦＡＸ送信宛先の電子メールアドレス表示を修正する場合など、内容によってはフルキーボードを表示するようにしてもよい。
【０１２２】
なお、図７（２）において、訂正の対象となる数字「４」は、空白となっているが、訂正の対象の数字を点滅させたり、異なる色で表示させたり、数字の大きさやフォント等を変化させたり、アンダーラインをつけたりすることで、訂正対象であることを示すようにしてもよい。
【０１２３】
次に、図６のステップＳ８０において、数字キーが押された場合（ステップＳ８０の判定がＹｅｓの場合）、ステップＳ８１において、制御部５０は、訂正が必要な数字を入力された数字に置き換えて表示する（ステップＳ８１）。
その後、制御部５０は、数字キーを非表示にして、ステップＳ５８のタッチパネル操作の操作待ち状態に処理を戻す（ステップＳ５８）。
【０１２４】
次に、ステップＳ６２において、タッチパネル操作で[拡大縮小]キーが押された場合（ステップＳ６２の判定がＹｅｓの場合）、ステップＳ６７において、制御部５０は、ファックス番号の拡大縮小用画面に切り替えて表示パネル８０に表示させる（ステップＳ６７）。
【０１２５】
図８は、この発明の第２実施形態に係るファクシミリ装置１０の宛先確認操作時（拡大縮小）の動作画面例である。
【０１２６】
図８（１）に示すように、タッチパネル操作で[拡大縮小]キーが押されると、図８（２）に示すような宛先（ファックス番号）の拡大縮小用画面が表示パネル８０に表示される。
【０１２７】
図８（２）に示すように、表示パネル８０には、宛先、[文字拡大]キー、[文字縮小]キー、[文字間隔拡大]キー、[文字間隔縮小]キー、[確定]キーが表示される。
【０１２８】
その後、図６のステップＳ６８において、制御部５０は、操作パネル７８のタッチパネル操作の待ち状態とする（ステップＳ６８）。
【０１２９】
制御部５０は、[文字拡大]キー（ステップＳ７０）、[文字縮小]キー（ステップＳ７１）、[文字間隔拡大]キー（ステップＳ７２）、[文字間隔縮小]キー（ステップＳ７３）、[確定]キー（ステップＳ６９）のいずれの操作を操作パネル７８が受け付けたか否かを判定する。
【０１３０】
ステップＳ７０において、[文字拡大]キーが押された場合（ステップＳ７０の判定がＹｅｓの場合）、ステップＳ７４において、制御部５０は、表示パネル８０に反転中の宛先の文字フォントサイズを現状よりも増加して再描画させる（ステップＳ７４）。
その後、制御部５０は、ステップＳ６８のタッチパネル操作待ち状態に処理を戻す（ステップＳ６８）。
【０１３１】
ステップＳ７１において、[文字縮小]キーが押された場合（ステップＳ７１の判定がＹｅｓの場合）、ステップＳ７５において、制御部５０は、表示パネル８０に反転中の宛先の文字フォントサイズを現状よりも減少して再描画させる（ステップＳ７５）。
その後、制御部５０は、ステップＳ６８のタッチパネル操作待ち状態に処理を戻す（ステップＳ６８）。
【０１３２】
ステップＳ７２において、[文字間隔拡大]キーが押された場合（ステップＳ７２の判定がＹｅｓの場合）、ステップＳ７６において、制御部５０は、表示パネル８０に反転中の宛先の文字の間隔を現状よりも増加して再描画させる（ステップＳ７６）。
その後、制御部５０は、ステップＳ６８のタッチパネル操作待ち状態に処理を戻す（ステップＳ６８）。
【０１３３】
ステップＳ７３において、[文字間隔縮小]キーが押された場合（ステップＳ７３の判定がＹｅｓの場合）、ステップＳ７７において、制御部５０は、表示パネル８０に反転中の宛先の文字の間隔を現状よりも減少して再描画させる（ステップＳ７７）。
その後、制御部５０は、ステップＳ６８のタッチパネル操作待ち状態に処理を戻す（ステップＳ６８）。
【０１３４】
ステップＳ６９において、[確定]キーが押された場合（ステップＳ６９の判定がＹｅｓの場合）、ステップＳ７８において、制御部５０は、表示パネル８０にそれまでのフォント操作を確定させて、宛先の拡大縮小用画面を抜けさせ、確定したフォント情報を用いて画面を再描画させる（ステップＳ７８）。
その後、制御部５０は、ステップＳ５８のタッチパネル操作待ち状態に処理を戻す（ステップＳ５８）。
【０１３５】
このように、宛先の文字および文字間隔の拡大縮小を行うことにより、ユーザーは、宛先の元である名刺と見比べやすいように、宛先の表示サイズを変更することができる。
【０１３６】
次に、ステップＳ６３において、宛先をなぞるタッチ操作が行われた場合は（ステップＳ６３の判定がＹｅｓの場合）、ステップＳ６４において、表示パネル８０になぞり終わった文字を１文字ずつ反転表示解除した通常表示にさせる（ステップＳ６４）。
【０１３７】
続くステップＳ６５において、すべての宛先ファックス番号が反転解除されるまでは、制御部５０は、タッチパネル操作待ちを続ける（ステップＳ６５の判定がＮｏの場合、ステップＳ５８に処理を戻す）。
【０１３８】
一方、すべての宛先ファックス番号が反転解除された場合（ステップＳ６５の判定がＹｅｓの場合）、ステップＳ６６において、制御部５０は、[送信]キー表示の反転表示を解除して有効とする（ステップＳ６６）。
【０１３９】
ステップＳ６６を経て送信キーが有効となった後、制御部５０は、[送信]キー（ステップＳ８３）、または、[キャンセル]キー（ステップＳ８４）のタッチパネル操作待ち状態とする。
【０１４０】
ステップＳ８３において、[送信]キーがタッチされた場合（ステップＳ８３の判定がＹｅｓの場合）、ステップＳ８５において、制御部５０は、スキャナ部５５に原稿読み取りを実行させる（ステップＳ８５）。
【０１４１】
その後、ステップＳ８６において、制御部５０は、通信処理を行う（ステップＳ８６）。
具体的には、公衆回線網３０に接続し、公衆回線網３０を経由して受信側ファクシミリ装置１０ｂに対して通信を開始し、原稿画像の送信処理が完了すると、回線を切断する。
【０１４２】
続いて、ステップＳ８７において、制御部５０は、ＲＡＭ７４に一時保存されていた相手先名とファックス番号（ステップＳ８１で訂正操作されていれば、その書き換えた内容）を表示パネル８０のＬＣＤに表示させ、送信が完了したので、今回の送信宛先を新たに短縮キーとして登録すべきか否かの質問を表示させる（ステップＳ８７）。
【０１４３】
続くステップＳ８８において、質問に対して「Ｙｅｓ」が選択された場合（ステップＳ８８の判定がＹｅｓの場合）、ステップＳ８９において、制御部５０は、空いている短縮キーに宛先を保存する（ステップＳ８９）。
ここで、宛先名を修正させてもよい。
また、登録する短縮キーの場号を指定させてもよい。
【０１４４】
その後、ステップＳ８２において、制御部５０は、宛先を保存したことを表示パネル８０のＬＣＤ上に表示した後、初期画面を表示させる（ステップＳ８２）。
その後、制御部５０は、一連の処理を終了する。
【０１４５】
一方、ステップＳ８８において、質問に対して「Ｎｏ」が選択された場合（ステップＳ８８の判定がＮｏの場合）、ステップＳ８２において、制御部５０は、宛先を保存せずに表示パネル８０に初期画面を表示させる（ステップＳ８２）。
その後、制御部５０は、一連の処理を終了する。
【０１４６】
このように、宛先の訂正や拡大縮小等を行うことで、宛先の元である名刺を近くに置いて、宛先と見比べながら指さし確認のように一字ずつなぞることができるため、ユーザーの利便性を保ちつつ、従来よりも確実に送信先の宛先を確認することができ、誤送信の防止に役立つファクシミリ装置１０を実現できる。
【０１４７】
〔第３実施形態〕
次に、図９に基づき、この発明の第３実施形態に係る通信システム１における宛先確認処理の流れを説明する。
【０１４８】
第１実施形態では、図５（２）〜（４）に示すように、ユーザーが宛先ファックス番号を指でなぞるにつれて、宛先ファックス番号のなぞられた部分の反転表示が解除される様子を示した。
【０１４９】
一方、第３実施形態においては、図９に示すように、宛先ファックス番号の確認操作を物理キー操作と連動させるようにする。
【０１５０】
具体的には、図９（２）〜（４）に示すように、ユーザーが右矢印キーを１回押すごとに、宛先ファックス番号の反転表示が１つずつ解除されるようにする。
【０１５１】
そして、すべての宛先ファックス番号の反転表示が解除された場合、図９（５）に示すように、[送信]キー表示の反転表示が解除されて、ユーザーは、[送信]キーを押すことが可能になる。
【０１５２】
このように、物理キー操作で一字ずつ確認させることで送信先の宛先を確認できるため、ユーザーの利便性を保ちつつ、従来よりも確実に送信先の宛先を確認することができ、誤送信の防止に役立つファクシミリ装置１０を実現できる。
【０１５３】
〔第４実施形態〕
次に、この発明の第４実施形態に係る通信システム１における宛先確認処理の流れを説明する。
【０１５４】
第１実施形態において、宛先ファックス番号を指でなぞる操作を、タッチパネル上の表示位置をタッチしながら指を動かすことで示したが、表示内容を見ながら確認できるように、表示位置と連動した任意の別の位置をタッチしながら指を動かすことにしてもよい。
別の位置としては、例えば、表示位置の上側または下側の位置などがあげられる。
【０１５５】
この場合、指をタッチした任意の位置を起点として、指を右にスライドさせたときの移動量に基づいて、宛先ファックス番号の反転表示を解除するようにしてもよい。
【０１５６】
このように、ユーザーは表示内容を見ながら、表示位置の別の位置に指を置いて指さし確認のように一字ずつ送信先の宛先を確認できるため、ユーザーの利便性を保ちつつ、従来よりも確実に送信先の宛先を確認することができ、誤送信の防止に役立つファクシミリ装置１０を実現できる。
【０１５７】
（変形例）
第４実施形態の変形例として、ユーザーが表示位置とは別の位置で指をタッチしてスライドさせるとき、[送信]キーや[キャンセル]キー等の他のキーを反応しないようにしてもよい。
【０１５８】
このようにすることで、他のキーの反応を気にすることなく、ユーザーは表示内容を見ながら、表示位置の別の位置に指を置いて指さし確認のように一字ずつ送信先の宛先を確認できるため、ユーザーの利便性を保ちつつ、従来よりも確実に送信先の宛先を確認することができ、誤送信の防止に役立つファクシミリ装置１０を実現できる。
【０１５９】
〔第５実施形態〕
次に、この発明の第５実施形態に係る通信システム１における宛先確認処理の流れを説明する。
【０１６０】
第５実施形態において、ユーザーが指でなぞった宛先ファックス番号の部分の反転表示を解除した場合であっても、ユーザーが素早く２回タッチするなどの予め定められた確定操作を行うまでは、当該反転表示の解除を確定しないようにしてもよい。
【０１６１】
この場合、反転表示の解除が確定しない状態でユーザーが指を離した場合、最後に反転表示を解除した位置が記憶される。
【０１６２】
また、反転表示の解除が確定しない状態でユーザーが指を逆方向にスライドさせた場合、反転表示の解除を元に戻すようにしてもよい。
【０１６３】
このようにすることで、ユーザーは、確定するまで何度も宛先を指さし確認できるため、ユーザーの利便性を保ちつつ、従来よりも確実に送信先の宛先を確認することができ、誤送信の防止に役立つファクシミリ装置１０を実現できる。
【０１６４】
〔第６実施形態〕
次に、この発明の第６実施形態に係る通信システム１における宛先確認処理の流れを説明する。
【０１６５】
第６実施形態において、ユーザーが宛先ファックス番号を指でなぞる途中で指を離した場合、指を離していた時間に応じて異なる処理を実行するようにしてもよい。
【０１６６】
例えば、予め定められたリセット時間以上、ユーザーが指を離していた場合、反転表示の解除を元に戻してリセットするようにしてもよい。
【０１６７】
一方、ユーザーが前記リセット時間内に、指を離して再び指をタッチした場合、反転表示の解除を元に戻さず、指を離す前の状態から処理を継続できるようにするようにしてもよい。
【０１６８】
このようにすることで、ユーザーは、リセット時間内は、指さし確認の途中で宛先の確認を中断できるため、ユーザーの利便性を保ちつつ、従来よりも確実に送信先の宛先を確認することができ、誤送信の防止に役立つファクシミリ装置１０を実現できる。
【０１６９】
なお、上記実施形態では、ファクシミリ装置１０においてファックス送信を行う際の宛先確認の例が示されているが、この発明は、ファクシミリ装置１０でファックス送信を行う際の宛先確認のみに限定されるものではない。
【０１７０】
例えば、インターネットＦＡＸ送信時の電子メールアドレス確認や共有フォルダ保存時のパス確認、クラウドサーバー保存時のＵＲＬ確認などのように、通信装置において送信前／登録前に再確認したい内容の確認手順として実行することで、いずれの場面においても誤送信の防止に役立つ。
【０１７１】
この発明の好ましい態様には、上述した複数の態様のうちの何れかを組み合わせたものも含まれる。
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【０１７２】
１：通信システム、    １０，１０ａ，１０ｂ，１０ｃ：ファクシミリ装置、    ２０：ネットワーク、    ３０：公衆回線網、    ５０：制御部、    ５２：ＨＤＤ、    ５４：操作部、    ５５：スキャナ部、    ５６：画像処理部、    ５７：画像メモリ、    ５８：画像形成部、    ６０：回線制御部、    ６２：モデム、    ６４：ＣＩ検出部、    ６６：ＬＡＮ  Ｉ／Ｆ、    ６７：電源制御部、    ６８：外部電源、    ７０：ＣＰＵ、    ７２：ＲＯＭ、    ７４：ＲＡＭ、    ７６：ＢＵＳライン、    ７８：操作パネル、    ８０：表示パネル
【図１】
2020191554.tif 000003
【図２】
2020191554.tif 000004
【図３】
2020191554.tif 000005
【図４】
2020191554.tif 000006
【図５】
2020191554.tif 000007
【図６】
2020191554.tif 000008
【図７】
2020191554.tif 000009
【図８】
2020191554.tif 000010
【図９】
2020191554.tif 000011